(57)【特許請求の範囲】
【請求項１】
柱状物の長さ方向に平行して延びる複数本のケーブルを前記柱状物の周面に固定するためのケーブル支持具であって、
前記ケーブルの１本ずつを取り付け取り外し可能に形成されていて前記周面にその周り方向へ沿うように湾曲して取り付けられるホルダー部と、前記ホルダー部に取り付けられた前記ケーブルを覆うことができて前記ホルダー部に対して開閉可能なキャップ部とを有し、
前記ホルダー部が、前記周面に密着して前記周り方向に沿って湾曲可能な帯状部と、前記ケーブルの１本ずつに対して前記帯状部から起立して前記長さ方向において対向するように対を成して形成されたケーブル支承部と、前記長さ方向において前記一対の支承部を連結しており前記帯状部との間に前記ケーブル支持具を前記柱状物に固定するためのベルトを挿通可能なクリアランスを形成しているストッパー部とを有しており、対を成す前記支承部が前記周り方向に複数設けられていて、前記支承部のそれぞれには前記ケーブルを前記柱状物の径方向において挿抜可能なほぼＣ字形の凹部が形成されており、
前記キャップ部が、前記ホルダー部に重ねられて閉じた状態にあるときに、前記支承部を覆うとともに前記支承部に挿入されている前記ケーブルのそれぞれを対を成す前記支承部間において覆う被覆部と、前記閉じた状態にあるときに前記被覆部から前記ホルダー部に向かって延びていて前記ストッパー部に離脱可能にスナップ係合して前記キャップ部が前記ホルダー部に対して開くことを抑制している弾性変形可能な係合部とを有している、ことを特徴とする前記ケーブル支持具。
【請求項２】
前記帯状部における前記柱状物の周面への当接面とその反対面とのうちの少なくとも一方には、前記長さ方向へ延びる少なくとも一条の溝が形成されている請求項１記載のケーブル支持具。
【請求項３】
前記帯状部には、前記ストッパー部と向かい合う部位に前記帯状部を厚さ方向において貫通し、対を成す前記支承部間に延びる透孔が形成されている請求項１または２記載のケーブル支持具。
【請求項４】
前記キャップ部には、前記被覆部に前記周面の周り方向に沿って前記被覆部の湾曲を容易にする透孔が形成されている請求項１〜３のいずれかに記載のケーブル支持具。
【請求項５】
前記ホルダー部と前記キャップ部とが可撓性のコネクタ部を介して前記周り方向において開閉可能に連結されている請求項１〜４のいずれかに記載のケーブル支持具。
【請求項６】
前記ホルダー部と前記キャップ部と前記コネクタ部とが熱可塑性合成樹脂によって一体成形されている請求項１〜５のいずれかに記載のケーブル支持具。
【請求項７】
前記コネクタ部が、前記長さ方向において離間し前記周り方向へ延びる互いに平行な一対の帯で形成されていて、前記帯どうしの離間寸法が、対を成す前記支承部どうしの離間寸法と同じであるかそれよりも大きい請求項１〜６のいずれかに記載のケーブル支持具。
【発明の詳細な説明】
【技術分野】
【０００１】
この発明は、電柱等の柱状物に対してケーブルを固定するためのケーブル支持具に関する。
【背景技術】
【０００２】
電柱等の柱状物に対してその長さ方向へ這わせたケーブルを固定するための手段の一例が、非特許文献１に配線リングとして記載されている。この配線リングは、弾性的に開閉するリング状部と、そのリング状部と一体であってリング状部と直角を成すように形成されているベルト掛け部とを有し、ベルト掛け部を柱状物の周面に当て、そのベルト掛け部の外側からベルトを柱状物に巻き付けることによって配線リングが柱状物に取り付けられる。その配線リングでは、リング状部を開いてその内側にケーブルを１本または複数本納めることによって、ケーブルを柱状物に固定することができる。
【非特許文献１】（株）須田製作所のホームページ  ｈｔｔｐ：／／/ｗｗｗ．ｓｕｄａｓｓ．ｃｏ．ｊｐ
【発明の開示】
【発明が解決しようとする課題】
【０００３】
前記従来の技術では、複数本のケーブルを固定する場合に、ケーブルを互いに平行に並列させて整然とした状態に保つことができない。また、ケーブルを柱状物から外すときに、配線リングに複数本のケーブルが納められていると、目的とするケーブルを的確かつ速やかに取り出すことが難しい。
【０００４】
そこで、この発明では、柱状物の周面に対してその長さ方向へ延びる複数本のケーブルを固定するときに、ケーブルどうしを平行に保つことができて、個々のケーブルの固定と取り外しとが容易であるケーブル支持具の提供を課題にしている。
【課題を解決するための手段】
【０００５】
前記課題解決のために、この発明が対象とするのは、柱状物の長さ方向に平行して延びる複数本のケーブルを前記柱状物の周面に固定するためのケーブル支持具である。
【０００６】
かかるケーブル支持具において、この発明が特徴とするところは、次のとおりである。前記ケーブル支持具は、前記ケーブルの１本ずつを取り付け取り外し可能に形成されていて前記周面にその周り方向へ沿うように湾曲して取り付けられるホルダー部と、前記ホルダー部に取り付けられた前記ケーブルを覆うことができて前記ホルダー部に対して開閉可能なキャップ部とを有する。前記ホルダー部は、前記周面に密着して前記周り方向に沿って湾曲可能な帯状部と、前記ケーブルの１本ずつに対して前記帯状部から起立して前記長さ方向において対向するように対を成して形成されたケーブル支承部と、前記長さ方向において前記一対の支承部を連結しており前記帯状部との間に前記ケーブル支持具を前記柱状物に固定するためのベルトを挿通可能なクリアランスを形成しているストッパー部とを有しており、対を成す前記支承部が前記周り方向に複数設けられていて、前記支承部のそれぞれには前記ケーブルを前記柱状物の径方向において挿抜可能なほぼＣ字形の凹部が形成されている。前記キャップ部は、前記ホルダー部に重ねられて閉じた状態にあるときに前記支承部を覆うとともに前記支承部に挿入されている前記ケーブルのそれぞれを対を成す前記支承部間において覆う被覆部と、前記閉じた状態にあるときに前記被覆部から前記ホルダー部に向かって延びていて前記ストッパー部に離脱可能にスナップ係合して前記キャップ部が前記ホルダー部に対して開くことを抑制している弾性変形可能な係合部とを有している。
【０００７】
この発明の好ましい実施態様の一つにおいて、前記帯状部における前記柱状物の周面への当接面とその反対面とのうちの少なくとも一方には、前記長さ方向へ延びる少なくとも一条の溝が形成されている。
【０００８】
この発明の好ましい実施態様の他の一つにおいて、前記帯状部には、前記ストッパー部と向かい合う部位に前記帯状部を厚さ方向において貫通し、対を成す前記支承部間に延びる透孔が形成されている。
【０００９】
この発明の好ましい実施態様の他の一つにおいて、前記キャップ部には、前記被覆部に前記周面の周り方向に沿って前記被覆部の湾曲を容易にする透孔が形成されている。
【００１０】
この発明の好ましい実施態様の他の一つにおいて、前記ホルダー部と前記キャップ部とが可撓性のコネクタ部を介して前記周り方向において開閉可能に連結されている。
【００１１】
この発明の好ましい実施態様の他の一つにおいて、前記ホルダー部と前記キャップ部と前記コネクタ部とが熱可塑性合成樹脂によって一体成形されている。
【００１２】
この発明の好ましい実施態様のさらに他の一つにおいて、前記コネクタ部が、前記長さ方向において離間し前記周り方向へ延びる互いに平行な一対の帯で形成されていて、前記帯どうしの離間寸法が、対を成す前記支承部どうしの前記長さ方向における離間寸法と同じであるかそれよりも大きい。
【発明の効果】
【００１３】
この発明に係るケーブル支持具は、帯状部の外側からベルトを柱状物に巻き付けることによって、柱状物に取り付けることができる。そのケーブル支持具では、ホルダー部において対を成すように形成された支承部におけるＣ字形の凹部にケーブルを１本ずつ挿抜することができるので、ケーブルを柱状物に固定する作業が容易になる。支承部は、柱状物の周り方向に複数設けられているから、支承部に納まる複数本のケーブルは互いに平行して整然とした状態に維持される。ホルダー部に対しては、キャップ部がスナップ係合して支承部とそれに納まるケーブルとを被覆することができるから、支承部とケーブルとを紫外線や風雨から保護することができる。
【００１４】
この発明において、帯状部に柱状物の長さ方向へ延びる溝が形成されている態様では、帯状部を柱状物の周面の周り方向へ湾曲させることが容易になる。
【００１５】
この発明において、帯状部のストッパー部と向かい合う部位に透孔が形成されている態様では、柱状物の長さ方向においてその透孔をまたぐように溝を設けることができ、そのような溝を有する帯状部は、柱状物周面の周り方向へ湾曲させることが特に容易になる。
【００１６】
この発明において、キャップ部における被覆部に湾曲を容易にする透孔が形成された態様では、キャップ部を帯状部と同程度の曲率で湾曲させることが容易になる。
【００１７】
この発明において、ホルダー部とキャップ部とが可撓性のコネクタ部を介して連結されている態様では、ホルダー部とキャップ部とが常にセットになっているから、これら両部のうちの一方だけを紛失するということがなく、ケーブル支持具が扱い易いものになる。
【００１８】
この発明において、ホルダー部とキャップ部とコネクタ部とが一体成形されている態様では、これら各部を一体に組み立てるための手間が不要であり、ケーブル支持具の製作が容易になる。
【００１９】
この発明において、コネクタ部を形成している一対の帯の離間寸法が一対の支承部の離間寸法と同じであるかそれよりも大きい態様では、ケーブル支持具を柱状物に固定するためのベルトの幅が対を成す支承部どうしの離間寸法よりも小さければ、そのベルトをコネクタ部を形成している一対の帯の間に通すことができる。ベルトをそのように通したケーブル支持具は、それを柱状物に固定するときにベルトと常に一体になっているから、固定するための作業が容易になる。
【発明を実施するための最良の形態】
【００２０】
添付の図面を参照して、この発明に係るケーブル支持具の詳細を説明すると、以下のとおりである。
【００２１】
図１は、使用状態にあるケーブル支持具１の斜視図である。支持具１は、仮想線で示されるベルト２によって仮想線で示される電柱の周面３（図３参照）に固定される。かかる支持具１は、周面３に密着させられるホルダー部６と、ホルダー部６に対して開閉可能であって図においては閉じた状態にあるキャップ部７と、ホルダー部６とキャップ部７とを連結している二条の帯状のコネクタ部８とを有する。ホルダー部６には、ケーブルとして例えば図示のコア１１とシース１２とからなる光通信用ケーブル９を複数本取り付けることが可能であり、図では一本のケーブル９が実線で示され、もう一本のケーブル９が仮想線で示されている。取り付けられたケーブル９はキャップ部７によって覆われている。
【００２２】
図２は、ホルダー部６に対してキャップ部７が開いた状態にある支持具１の斜視図である。支持具１のホルダー部６は、電柱の周面３の周り方向Ｑに延びるとともに周面３に沿って弧を画くように湾曲している帯状部２１と、電柱の長さ方向Ｐにおいて対向するように対を成して帯状部２１の縁部から起立しているケーブル支承部２２と、対を成す支承部２２どうしをつないで電柱の長さ方向Ｐへ延びるストッパー部２３とを有する。その支承部２２は、周面３の周り方向Ｑに複数形成されている。帯状部２１は、径の異なる複数の電柱の周面３に沿って湾曲できるような可撓性を有し、ストッパー部２３と向かい合う部位には、帯状部２１をその厚さ方向において貫通する透孔２４が形成されている（図３参照）。その透孔２４は、対を成す支承部２２の一方から他方にまで延びている。支承部２２のそれぞれには、ほぼＣ字形の凹部２６が形成されており、そのＣ字形における開口部２７が支承部２２の頂部２８に形成されている。凹部２６は、開口部２７を介してケーブル９を電柱の径方向において挿抜できるもので、そのケーブル９を挿入するときには、開口部２７が方向Ｑへ大きく開くように支承部２２を弾性変形させたり、ケーブル９のシース１２を径が小さくなるように弾性変形させたりする。ケーブル９を支承部２２から抜き取るときもまた同様に弾性変形させる。帯状部２１には、複数対の支承部２２が形成されているから、それぞれの支承部２２にケーブル９を挿入すると、電柱の長さ方向Ｐへ延びる複数のケーブル９が互いに平行で、整然とした状態になる（図１参照）。
【００２３】
キャップ部７は、図１の状態において支承部２２に支えられたケーブル９と支承部２２とを上方から覆う被覆部３１と、支承部２２を側方から覆うように支承部２２それぞれの外側に位置している一対の側壁部３２と、側壁部３２どうしをつなぐ一対の端壁部３３とを有する。被覆部３１は、図１の状態においてホルダー部６の帯状部２１と向かい合うことになる内面３６に、帯状部２１に向かって垂下するように延びているフック３７を有する。そのフック３７は、図２において被覆部３１の内面３６から起立するように画かれており、被覆部３１にはそのフック３７の基端部分に沿って延びる透孔３８が形成されている。側壁部３２は、図１のホルダー部６において、隣り合う凹部２６と２６との間で被覆部３１から垂下するように形成されており、凹部２６と向かい合う部位がＵ字形に切り欠かれている。被覆部３１を挟んで向かい合う側壁部３２どうしは、補強リブ３９を介してつなげられる場合がある。かようなキャップ部７は、支承部２２とケーブル９とを覆うことによって、これらを風雨や紫外線から保護している。
【００２４】
一対のコネクタ部８は、ホルダー部６における帯状部２１の端部からキャップ部７における一対の端壁部３３の一方にまで互いに平行に延びている。コネクタ部８どうしの離間寸法Ｂは、ホルダー部６における一対の支承部２２どうしの離間寸法Ａと同じであるか、または寸法Ａよりも大きい。それゆえ、支持具１を電柱の周面３に固定するためのベルト２は、ホルダー部６において対向する支承部２２どうしの間に収まるとともに帯状部２１に当接するものであれば、コネクタ部８と８との間を通り抜けることができる。ベルト２とコネクタ部８とがこのような状態にある支持具１は、ベルト２から簡単に外れるということがない。
【００２５】
図３，４は、図１のＩＩＩ−ＩＩＩ線断面図と図２のＩＶ−ＩＶ線断面図である。図３に示されるキャップ部７がホルダー部６に対して閉じている支持具１では、キャップ部７のフック３７がホルダー部６のストッパー２３にスナップ係合していてキャップ部７が開く方向へ動くことを抑制している。ただし、そのキャップ部７は、図の左方に位置する端壁部３３に指を当てて矢印Ｃ方向へ強く持ち上げるようにすると、フック３７のそれぞれが弾性変形してストッパー２３のそれぞれから離脱し、続いて屈曲状態にあるコネクタ部８が伸展して図２，４の如く開くことができる。開いているキャップ部７は、図４においてホルダー部６へ向かうように矢印Ｄ方向へ旋回させると、フック３７がストッパー２３のうちの適宜のものに当接して弾性変形し、図３の如くスナップ係合した状態になる。ホルダー部６は、帯状部２１とストッパー２３との間にベルト２を通すことが可能なクリアランス４０を有する。ベルト２をこのクリアランス４０に通しておけば、支持具１は、ベルト２から簡単に外れるということがない。
【００２６】
図２，４において明らかなように、電柱の周面３に密着しているホルダー部６の帯状部２１の内面４１と外面４２とのそれぞれには、電柱の長さ方向Ｐへ延びる溝４３，４４が形成されている。これらの溝４３，４４は、帯状部２１を周面３の周り方向Ｑへ容易に湾曲できるようにするためのもので、図では、帯状部２１において透孔２４をまたいで電柱の長さ方向Ｐへ延びるように形成されている溝４３ａ，４４ａと、透孔２４の形成されていない部分で帯状部２１を縦断して延びるように形成されている溝４３ｂ，４４ｂとが例示されている。溝４３，４４それぞれの深さが一定である場合において、帯状部２１は、透孔２４をまたいで延びる溝４３ａ，４４ａを有することによって、その湾曲が特に容易になる。溝４３ａ，４４ａが形成されている部位における帯状部２１は、溝４３ｂ，４４ｂが形成されている部位に比べて、湾曲させるべき材料が少ないからである。ただし、この発明では、溝４３ａ，４４ａと４３ｂ，４４ｂとのうちのいずれか一方のみを帯状部２１に設けたり、溝４３ａ，４３ｂだけを設けたり、溝４４ａ，４４ｂだけを設けたり、いずれかの溝を一条だけ設けたりすることもできる。また、帯状部２１が湾曲容易な材料で形成されている場合には、溝４３，４４を省いてこの発明を実施することもできる。
【００２７】
かような構造を有する支持具１では、ポリエチレン、ポリプロピレン、ナイロン、ＡＢＳ等の可撓性のある熱可塑性合成樹脂を射出成形することによって、ホルダー部６、キャップ部７、コネクタ部８を一体的に作ることができる。そのような支持具１は、製作が容易であるというばかりでなく、一対のコネクタ部８の間にベルト２を予め通しておくとか、クリアランス４０にベルト２を予め通しておくとかして電柱等の高所に取り付けるようにすれば、その取り付け作業中に支持具１を誤って落下させるということもなくなる。帯状部２１における透孔２４とキャップ部７における透孔３８とのそれぞれは、支持具１の湾曲を容易にするばかりではなく、支持具１を射出成形によって製造する場合に、ホルダー部６におけるストッパー２３の成形と、キャップ部７におけるフック３７の成形とを容易にすることができる。この発明ではまた、ホルダー部６とキャップ部７とを連結するコネクタ部８を図示例の二条の帯状部から一条の帯状部に代えることができる。これら帯状部の長さについては格別の規定がないから、その長さは自由に設定することができる。さらにはまた、コネクタ部８を省き、ホルダー部６とキャップ部７とを別体にしてこの発明を実施することもできる。
【産業上の利用可能性】
【００２８】
この発明によれば、電柱等の柱状物の長さ方向に延びる複数本のケーブルを互いに平行にその柱状物の周面に固定することが可能なケーブル支持具の製造が可能になる。
【図面の簡単な説明】
【００２９】
【図１】使用状態にあるケーブル支時具の斜視図。
【図２】キャップ部が開いた状態にある図１と同様な図。
【図３】図１のＩＩＩ−ＩＩＩ線断面図。
【図４】図２のＩＶ−ＩＶ線断面図。
【符号の説明】
【００３０】
１    ケーブル支持具
２    ベルト
３    周面
６    ホルダー部
７    キャップ部
８    コネクタ部
９    ケーブル
２１    帯状部
２２    支承部
２３    ストッパー部
２４    透孔
２６    凹部
３１    被覆部
３７    係合部（フック）
３８    透孔
４０    クリアランス
４３，４３ａ，４３ｂ    溝
４４，４４ａ，４４ｂ    溝
Ａ    離間寸法
Ｂ    離間寸法
Ｐ    長さ方向
Ｑ    周り方向
【図１】
0004532377.tif 000002
【図２】
0004532377.tif 000003
【図３】
0004532377.tif 000004
【図４】
0004532377.tif 000005